(57)【特許請求の範囲】
【請求項１】
吹き付けコンクリートの表面に防水シートを取付け、この防水シートの下部に排水材をトンネルの方向に沿って取付け、前記排水材から車道の下に埋設された中央排水口に排水すると共に、防水シートの表面に覆工コンクリートを取付けたナトム工法で施工されたトンネルにおいて、その漏水個所の覆工コンクリート側の歩道にベースホールを形成し、このベースホールの底部から前記排水材に向かって斜め下向きに削孔し、この削孔の上部から歩道の下に形成した導水管を介して、車道の側溝に接続すると共に、ベースホールの上部にキャップを着脱自在に取付けて密閉し、吹き付けコンクリートと防水シートとの間に流れ込んだ湧水を前記削孔と導水管を通して、車道の側溝に排水することを特徴とするナトム工法で施工されたトンネルの漏水対策工法。
【請求項２】
歩道から排水材に向かって斜め下向きに削孔した削孔が、１箇所において１孔または複数孔放射状に形成することを特徴とする請求項１記載のナトム工法で施工されたトンネルの漏水対策工法。
【発明の詳細な説明】
【技術分野】
【０００１】
本発明は、ナトム工法で施工されたトンネル覆工面からの漏水対策工法に関するものである。
【背景技術】
【０００２】
地山を掘削してトンネルを形成し、この内側にコンクリートを吹き付け、この表面に防水シートを取付け、この防水シートの下部に排水材をトンネルの方向に沿って取付け、前記排水材から車道の下に埋設された中央排水口に排水すると共に、防水シートの表面に覆工コンクリートを設けるトンネル工法はナトム工法として知られている。
【０００３】
このようにナトム工法で作られたトンネルは、吹き付けコンクリートと防水シートとの間に流れ込んだ湧水は防水シートに沿って流下し、下部のトンネル長手方向に沿って配置された吸水性のある多孔質の材料で形成された排水材に沿って流れ、約５０ｍおきに設けた横断排水管から車道の中央部に埋設した中央排水口に排水して、吹き付けコンクリートと防水シートとの間に湧水が溜らないようになっている。
【０００４】
しかしながら、横断排水管の設置間隔が５０ｍと比較的大きいことから、施工後の経年によって、吹付けコンクリートから分離した石灰分や、湧水に含まれる鉄分あるいは微粒子等が排水材に沈積して目詰まりしてくる。このため、排水がスムーズに行われなくなり局所的に覆工コンクリート面の打ち継ぎ目や亀裂から漏水が発生し、壁面が汚れたり、漏水が凍結して交通に障害を及ぼす問題があった。
【０００５】
このため漏水対策として、吹付けコンクリートと覆工コンクリートとの間に補修材注入管を予め埋め込んで、トンネル構造を施工する。長い期間経過してトンネル構造に漏水箇所が生じた場合、予め埋め込んである補修材注入管に補修材を注入してその補修材放出部を破断させて、補修材を漏水箇所に放出して充填し、補修する方法がある（特許文献１）。
【０００６】
しかしながら、従来の方法ではトンネル施工時に、補修材注入管を吹付コンクリートと覆工コンクリートとの間に予め埋め込むため、施工が面倒であり、またどの個所から漏水するか分らず、埋め込んだ大部分の補修材注入管が機能しない問題がある。更に補修材注入管から補修材を注入・充填させて地下水の溜まる部分を塞いでも、恒久的な対策にならず、また近くの部分から漏水する問題があった。
【先行技術文献】
【特許文献】
【０００７】
【特許文献１】特開２００３−１７６６９８
【発明の概要】
【発明が解決しようとする課題】
【０００８】
本発明は上記問題を改善し、ナトム工法で施工されたトンネルの覆工面からの漏水が発生している箇所において、車道を最小限の規制で、簡易な方法により、漏水を常時側溝に流して、壁面が汚れたり、漏水が凍結して交通に障害を及ぼすことを確実に防止する漏水対策工法を提供するものである。
【課題を解決するための手段】
【０００９】
本発明の請求項１記載のナトム工法で施工されたトンネルの漏水対策工法は、吹き付けコンクリートの表面に防水シートを取付け、この防水シートの下部に排水材をトンネルの方向に沿って取付け、前記排水材から車道の下に埋設された中央排水口に排水すると共に、防水シートの表面に覆工コンクリートを取付けたナトム工法で施工されたトンネルにおいて、その漏水個所の覆工コンクリート側の歩道にベースホールを形成し、このベースホールの底部から前記排水材に向かって斜め下向きに削孔し、この削孔の上部から歩道の下に形成した導水管を介して車道の側溝に接続すると共に、ベースホールの上部にキャップを着脱自在に取付けて密閉し、吹き付けコンクリートと防水シートとの間に流れ込んだ湧水を前記削孔と導水管を通して、車道の側溝に排水することを特徴とするものである。
【００１０】
本発明の請求項２記載のナトム工法で施工されたトンネルの漏水対策工法は、請求項１において、歩道から排水材に向かって斜め下向きに削孔した削孔が、１箇所において１孔または複数孔放射状に形成することを特徴とするものである。
【発明の効果】
【００１１】
本発明に係る請求項１記載のナトム工法で施工されたトンネルの漏水対策工法によれば、吹き付けコンクリートと防水シートとの間に流れ込んだ湧水は、排水材が目詰まりしても、排水材に達する削孔と導水管を通りサイホンの作用により排水材の部分に溜った湧水は側溝に流れる。この結果、歩道より低い位置までしか湧水は溜らず覆工コンクリートの表面からの漏水を防止して壁面の汚れや、車道の凍結による交通障害を防止することができる。
【００１２】
また歩道に先ずベースホールを形成し、このベースホールの底部から排水材に向かって斜め下向きに削孔するので、作業が容易である上、キャップの取付けも容易である。したがって車道を最小限の規制で、歩道の上だけで漏水対策工事を進めることができるので、工事中もトンネル内の車の通行が可能であり、しかも歩道の上で１ｍ以下のボーリングとパイプの埋設、埋戻し作業だけなので工期も短く、施工費用も安価である。
【００１３】
更に防水対策工事を行なっても、経年変化して削孔と導水管が目詰まりしてスムーズに排水されなくなることがある。この場合、ベースホールのキャップを取り外して、ベースホールや削孔、導水管を清掃して沈積物を取り除くことにより、更に長期間に亘って漏水を防止することができる。
【００１４】
また請求項２記載のナトム工法で施工されたトンネルの漏水対策工法によれば、１箇所において複数孔放射状に形成されているので広い範囲にわたって湧水を排水することができる。
【発明を実施するための最良の形態】
【００１５】
以下本発明の実施の一形態を図１ないし図５を参照して詳細に説明する。図１および図２はナトム工法で施工されたトンネル１で、地山２を掘削して、この内側にコンクリート３を吹き付け、この表面に防水シート５を取付け、この防水シート５の下部に排水材６をトンネル１の方向に沿って巻き付けて取付け、前記排水材６から車道７の中央に埋設された中央排水口８に排水すると共に、防水シート６の表面に覆工コンクリート４を設けたものである。
【００１６】
排水材６は多孔質のスポンジ状で、吹き付けコンクリート３と防水シート５との間に流れ込んだ湧水を吸収して、トンネル１の方向に沿って流す作用をなすもので、例えば５０ｍおきに設けた横断排水管１０の先端を前記排水材６に接続し、下端を車道７の中央に埋設した中央排水口８に接続して常時湧水を排水するようになっている。
【００１７】
施工後の経年によって、吹付けコンクリートから分離した石灰分や、湧水に含まれる鉄分あるいは微粒子等が排水材６などに沈積して目詰まりしてくると湧水が溜り、排水がスムーズに行われなくなって覆工コンクリート４の表面の亀裂から漏水が発生する。
【００１８】
漏水が発生した場合、図３に示すように覆工コンクリート４の漏水個所の下の歩道１２をボーリングして円形に除去してベースホール１３を形成する。次にこのベースホール１３の底面の隅から排水材６に向かって斜め下向きにドリルで削孔し、排水材６に達する削孔１４を形成する。この場合、図４に示すように方向を変えて放射状に３本の削孔１４を削孔する。次に３本の削孔１４が崩れないように、図５に示すように内側にネット状のパイプ１５を挿着する。
【００１９】
この後、図３に示すようにベースホール１３の横の歩道１２の表面をはつって、このはつった部分の車道側から脇に埋設されている側溝１６に向かって斜め下向きにドリルで削孔し、側溝１６の側面を貫通する削孔１４を形成する。次に図５に示すように歩道１２のはつった部分に、一端がベースホール１３に連通するパイプ１７ａを横に設けると共に、側溝１６の側面を貫通する削孔１４に斜めにパイプ１７ｂを挿着する。次にこの斜めのパイプ１７ｂと前記横のパイプ１７ａとの交差部分を接続して導水管１８を形成する。この後、ベースホール１３の上部にゴムのキャップ１９を着脱自在に取付けて密閉すると共に、歩道１２のはつった部分をモルタルで補修して対策を完了する。
【００２０】
このような漏水対策工事を行なうと、吹き付けコンクリート３と防水シート５との間に流れ込んだ湧水は、スポンジ状の排水材６が目詰まりしても排水材６に達する削孔１４のパイプ１５と上部がキャップ１９で塞がれたベースホール１３を通り、導水管１８からサイホンの作用により排水材６の部分に溜った湧水は側溝１６に常時流れる。この結果、歩道１２より低い位置までしか湧水は溜らず覆工コンクリート４の表面からの漏水を防止することができる。更に削孔１４は図４に示すように３本放射状に形成されているので広い範囲にわたって湧水を排水することができる。
【００２１】
従って従来の補修材注入管を予め埋め込んで、ここから補修材を注入・充填させて湧水の溜る部分を塞ぐ対策に比べて長期間漏水を防止することができる。この結果、覆工コンクリート４の漏水による壁面の汚れや、車道の凍結による交通障害を防止することができる。
【００２２】
また漏水対策工事を行なっても、経年変化して削孔１４のパイプ１５と導水管１８が目詰まりして排水がスムーズに行われなくなってくることがある。このような場合にはベースホール１３のゴムのキャップ１９を取り外して、ベースホール１３や削孔１４のパイプ１５、導水管１８を清掃して沈積物を取り除くことにより、更に長期間に亘って漏水を防止することができる。
【００２３】
このように車道７を最小限の規制で、歩道１２の上だけで漏水対策工事を進めることができるので、工事中もトンネル１内の車の通行が可能である。しかも歩道１２の上で１ｍ以下のボーリングとパイプの埋設、歩道表面の補修作業だけなので工期も短く、施工費用も安価である。
【００２４】
なお上記説明では放射状に３本の削孔１４を削孔した場合について示したが、１本または２本、もしくは４本以上削孔しても良い。
【００２５】
また上記説明では吹き付けコンクリート３にロックボルトを打設しないナトム工法について説明したが、ロックボルトを打設したトンネル１についても適用することができる。
【図面の簡単な説明】
【００２６】
【図１】本発明の実施の一形態によるナトム工法で施工されたトンネルの断面図である。
【図２】図１の要部を拡大して示す断面図である。
【図３】図２のトンネルの歩道にベースホールと削孔を形成した状態を示す断面図である。
【図４】ベースホールから３本放射状に削孔を形成した状態を示す平面から見た断面図である。
【図５】図３に示す歩道のはつった部分に導水管を設け、ベースホールの上部にキャップを取付けて対策を完了した状態を示す断面図である。
【符号の説明】
【００２７】
１    トンネル                                              
２    地山                                                  
３    吹き付けコンクリート                                  
４    覆工コンクリート                                      
５    防水シート                                            
６    排水材                                                
７    車道                                                  
８    中央排水口                                            
１０  横断排水管                                            
１２  歩道                                                  
１３  ベースホール                                          
１４  削孔                                                  
１５  パイプ                                                
１６  側溝                                                  
１７ａ、１７ｂ  パイプ                                      
１８  導水管                                                
１９  キャップ                                              
【要約】      （修正有）【課題】ナトム工法で施工されたトンネルの覆工面からの漏水が発生している箇所において、車道を最小限の規制で、簡易な方法により、漏水を常時側溝に流して、壁面が汚れたり、漏水が凍結して交通に障害を及ぼすことを確実に防止する漏水対策工法を提供する。【解決手段】吹き付けコンクリート３の表面に防水シート５を取付け、この防水シート５の下部に排水材６をトンネル１の方向に沿って取付け、排水材６から車道７の下に埋設された中央排水口に排水すると共に、防水シート５の表面に覆工コンクリート４を取付けたナトム工法で施工されたトンネルにおいて、その漏水個所の覆工コンクリート４側の歩道１２にベースホール１３を形成し、この底部から排水材６に向かって斜め下向きに削孔し、ベースホール１３から側溝１６に導水管１８を接続して、流れ込んだ湧水を削孔１４とベースホール１３を通して導水管１８から側溝１６に排水する。【選択図】図５【図１】
0005982027.tif 000002
【図２】
0005982027.tif 000003
【図３】
0005982027.tif 000004
【図４】
0005982027.tif 000005
【図５】
0005982027.tif 000006